(57)【要約】  光学シートの保持枠体の位置決め・固定を確実に行うと共に、装置の薄型化及び狭額縁化を図ることが出来る表示装置を提供する。  光学シートと、光学シートを囲んで光学シートを保持する保持枠体４と、光学シート及び保持枠体４を収納する収納筐体とを備える表示装置において、保持枠体４より高い強度を有する取付部材４２を、保持枠体４の複数個所に取り付け、取付部材４２に形成された固定孔４２１を用いて、取付部材４２を収納筐体に固定することにより、保持部材４の位置決めを行う。
2017037857.tif 000002
【特許請求の範囲】
【請求項１】
光学シートと、該光学シートを囲んで該光学シートを保持する保持枠体と、前記光学シート及び前記保持枠体を収納する収納筐体とを備える表示装置において、
前記保持枠体より高い強度を有し、前記保持枠体の複数個所に取り付けられた取付部材と、
前記取付部材に形成され、前記収納筐体との固定に用いられる固定孔と
を備えることを特徴とする表示装置。
【請求項２】
前記取付部材は金属製であることを特徴とする請求項１に記載の表示装置。
【請求項３】
前記保持枠体は前記取付部材との係合に用いられる係合突起を有し、
前記取付部材は前記係合突起に対応する切り欠き部を有しており、
前記係合突起及び前記切り欠き部の間には、前記保持枠体に沿う方向に、所定の間隔が存在することを特徴とする請求項１又は２に記載の表示装置。
【請求項４】
前記収納筐体の外側に周設されたベゼルを備え、
該ベゼルには、前記取付部材の前記固定孔に対応する貫通孔が形成されていることを特徴とする請求項１から３の何れかに記載の表示装置。
【発明の詳細な説明】
【技術分野】
【０００１】
本発明は、光学シートと、該光学シートを囲んで該光学シートを保持する保持枠体と、前記光学シート及び前記保持枠体を収納する収納筐体とを備える表示装置に関する。
【背景技術】
【０００２】
近年、液晶表示パネルを用いる表示装置が広く普及しており、このような表示装置においては、該表示装置の厚みを薄くする薄型化、及び、該表示画面外の額縁幅を小さくする狭額縁化について様々な工夫が行われている。【０００３】
例えば、前記表示装置の薄型化又は狭額縁化のために、該表示装置の光学シート、導光板等を保持する保持部材をコンパクトにする場合も多い。しかし、このような場合、斯かる保持部材のコンパクト化と共に、該保持部材の強度が劣る虞がある。【０００４】
これに対して、特許文献１の液晶表示装置においては、ねじが、ベゼルの側壁と、液晶パネルを保持するフレームとを結合するときに、該液晶表示装置の裏面蓋の部分がベゼルの側壁と前記フレームの間に配置され、斯かる裏面蓋の部分が前記ベゼルの側壁及び前記フレームと一緒にねじ止めされることによって、該液晶表示装置において側面保持が行われる部分が強化され、該液晶表示装置の強度及び信頼性が向上することについて開示されている。
【先行技術文献】
【特許文献】
【０００５】
【特許文献１】特開２００４−３０２１１７号公報
【発明の概要】
【発明が解決しようとする課題】
【０００６】
一方、前記表示装置の薄型化及び狭額縁化のために、斯かる保持部材をコンパクトにした場合は、プラスチック製の場合が多い保持部材では、その強度が低下する。従って、特許文献１と同様に、ねじを用いて前記保持部材の固定等を行う場合、ねじの打ち込みに耐え切れず斯かる保持部材に亀裂、変形等が発生し、又は固定が確実にできないという問題がある。しかしながら、特許文献１に係る液晶表示装置ではこのような問題を考慮していない。【０００７】
本発明は、斯かる事情に鑑みてなされたものであり、その目的とするところは、光学シートと、該光学シートを囲んで該光学シートを保持する保持枠体と、前記光学シート及び前記保持枠体を収納する収納筐体とを備える表示装置において、確実に前記保持枠体の位置決め・固定を行うと共に、装置の薄型化及び狭額縁化を図ることが出来る表示装置を提供することにある。
【課題を解決するための手段】
【０００８】
本発明に係る表示装置は、光学シートと、該光学シートを囲んで該光学シートを保持する保持枠体と、前記光学シート及び前記保持枠体を収納する収納筐体とを備える表示装置において、前記保持枠体より高い強度を有し、前記保持枠体の複数個所に取り付けられた取付部材と、前記取付部材に形成され、前記収納筐体との固定に用いられる固定孔とを備えることを特徴とする。【０００９】
本発明にあっては、前記保持枠体より高い強度を有する取付部材を、前記保持枠体の複数個所に取り付け、前記取付部材に形成された固定孔を用いて、該取付部材を前記収納筐体に固定することにより、前記保持部材の位置決めを行う。【００１０】
本発明に係る表示装置は、前記取付部材は金属製であることを特徴とする。【００１１】
本発明にあっては、金属製の取付部材を前記収納筐体に固定することにより、該取付部材を介して前記保持部材を前記収納筐体に固定し、位置決めを行う。【００１２】
本発明に係る表示装置は、前記保持枠体は前記取付部材との係合に用いられる係合突起を有し、前記取付部材は前記係合突起に対応する切り欠き部を有しており、前記係合突起及び前記切り欠き部の間には、前記保持枠体に沿う方向に、所定の間隔が存在することを特徴とする。【００１３】
本発明にあっては、前記係合突起及び前記切り欠き部の間に、前記保持枠体に沿う方向に、所定の間隔を設け、前記取付部材と前記保持枠体とが異なる材料であることによる、熱膨張量の違いに備える。【００１４】
本発明に係る表示装置は、前記収納筐体の外側に周設されたベゼルを備え、該ベゼルには、前記取付部材の前記固定孔に対応する貫通孔が形成されていることを特徴とする。【００１５】
本発明にあっては、前記ベゼルに形成されている貫通孔及び前記取付部材の前記固定孔に、例えば、ビスを挿通することにより、前記取付部材を前記ベゼルに固定する。
【発明の効果】
【００１６】
本発明によれば、前記保持枠体の位置決めを確実に行いながらも、斯かる表示装置の薄型化及び狭額縁化を図ることが出来る。
【図面の簡単な説明】
【００１７】
【図１】実施の形態１における液晶テレビジョン受像機の外観を示す正面図である。
【図２】実施の形態１における液晶テレビジョン受像機を構成する要部を模式的に示す分解斜視図である。
【図３】実施の形態１における液晶テレビジョン受像機を構成する要部を模式的に示す断面図である。
【図４】実施の形態１に係る液晶テレビジョン受像機における、保持枠体の取付部材の付近を拡大した拡大斜視図である。
【図５】実施の形態１に係る液晶テレビジョン受像機において、取付部材を保持枠体から取り外した場合を表す斜視図である。
【図６】図４のＢ−Ｂ線による断面図である。
【図７】実施の形態２に係る液晶テレビジョン受像機において、保持枠体とバックライトシャーシの側壁との固定を説明する斜視図である。
【発明を実施するための形態】
【００１８】
以下に、本発明の実施の形態に係る表示装置を、液晶パネルを備えるいわゆる液晶テレビジョン受像機に適用した場合を例として、図面に基づいて詳述する。
【００１９】
（実施の形態１）
図１は実施の形態１における液晶テレビジョン受像機１００の外観を示す正面図である。液晶テレビジョン受像機１００おいて、液晶表示パネル１及び他の部品は、ベゼル２及び後述するバックライトシャーシ６（収納筐体）に収納されている。
【００２０】
図２は実施の形態１における液晶テレビジョン受像機１００を構成する要部を模式的に示す分解斜視図であり、図３は実施の形態１における液晶テレビジョン受像機１００を構成する要部を模式的に示す断面図である。図３は図２のＡ−Ａ線による断面図である。
【００２１】
本実施の形態１に係る液晶テレビジョン受像機１００は、図１に示したように、表側の一面に矩形の液晶表示パネル１を備えており、液晶表示パネル１はその一面に映像を表示する。また、液晶表示パネル１の裏側には光学シート３と、保持枠体４と、光源装置５と、バックライトシャーシ６とが斯かる順に設けられている。また、光源装置５は光源５１、導光板５２及び反射シート５３を有している。
【００２２】
光学シート３、保持枠体４及び光源装置５は、一面が開放された直方体の箱状をなすバックライトシャーシ６（筐体）に収納されており、光学シート３の周縁側、及びバックライトシャーシ６の側壁側は矩形の枠形状のベゼル２によって取り囲まれている。
【００２３】
光学シート３は一面が液晶表示パネル１の他面と対向するように配置されており、また、導光板５２は一面が光学シート３の他面と対向するように配置され、更に反射シート５３は一面が導光板５２の他面と対向するように配置されている。
【００２４】
ベゼル２は、矩形状の枠体である。ベゼル２は、矩形の筒状の側板と、該側板の一端部から内向きに張り出した環状板の額縁部２１とからなり、液晶テレビジョン受像機１００の厚み方向での断面形状はＬ字状をなす。液晶表示パネル１より表側には、ベゼル２の額縁部２１が配置されている。換言すれば、液晶表示パネル１は、前記一面の周縁部がベゼル２の額縁部２１によって覆われている。ユーザは額縁部２１を介して液晶表示パネル１の前記一面に表示される画像を視認することができる。
【００２５】
液晶表示パネル１は、表示パネルであり、矩形の平板状をなす。液晶表示パネル１は、アクティブマトリクス方式を採用している。また、液晶表示パネル１は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル１は、例えば電気泳動液晶パネルであっても良い。
【００２６】
液晶表示パネル１の前記他面側に設けられた光学シート３は、光源５１から発せられ、導光板５２を介して入射される光に対して拡散、集光等を行ない、より均一な光を液晶表示パネル１に向けて出射させる、公知のものである。例えば、光学シート３は、重ね合わせた３枚のシートを有する。より詳しくは、光学シート３は２枚の拡散シートと、１枚のプリズムシートとを有しており、該プリズムシートは２枚の拡散シートの間に介在している。前記プリズムシート及び前記拡散シートは同じ矩形であり、同一の大きさを有している。
【００２７】
２枚の拡散シートのうち導光板５２側に配置された一の拡散シートは、導光板５２を介して光源５１から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、前記プリズムシートに対して垂直に前記他の拡散シートへ入射される。
【００２８】
液晶表示パネル１側に配置された前記他の拡散シートは、前記プリズムシートを介して入射される光を更に拡散させてより均一な輝度分布にして液晶表示パネル１の前記他面に向けて出射させる光学シートである。
【００２９】
また、光学シート３は、一長辺に、５つの係合鍔３４,…，３４を有する。係合鍔３４，…，３４は保持枠体４との係合に用いられる。係合鍔３４，…，３４は矩形をなしており、各係合鍔３４には、保持枠体４との係合のために係合孔３５が形成されている。例えば、係合孔３５は、光学シート３の長手方向に長い長穴状をなす。
【００３０】
光学シート３の前記他面側（導光板５２との対向面側）であって、該他面の周縁部付近には、光学シート３の縁を取り囲み、光学シート３を保持する保持枠体４が設けられている。上述したように、保持枠体４は、光学シート３と係合を行うことにより、液晶表示パネル１と対向するよう光学シート３を保持する。
【００３１】
保持枠体４の外周縁側にはバックライトシャーシ６の側壁６１が配置されている。保持枠体４の斯かる開口部の大きさは、導光板５２の前記一面よりも小さい。
【００３２】
また、光学シート３の前記他面と対向する保持枠体４の一面には、内側の縁に、係合突起４３が設けられている。保持枠体４の斯かる縁には、例えば、５つの係合突起４３が光学シート３の厚み方向に突出されており、これら係合突起４３，…，４３は係合鍔３４，…，３４の係合孔３５，…，３５に対応するよう設けられている。従って、係合突起４３，…，４３と係合孔３５，…，３５との係合により、光学シート３が保持枠体４に保持される。
【００３３】
更に、保持枠体４には、光学シート３に沿う方向に突出され、液晶表示パネル１を保持する保持板４４が、保持枠体４の長手方向に沿って設けられており、保持板４４の液晶表示パネル１側面には、液晶表示パネル１が載置されるクッション４５が付されている。
【００３４】
従って、液晶表示パネル１は、周縁部の他面がクッション４５上に載置された状態にて、ベゼル２の額縁部２１によってクッションを介して斯かる周縁部の一面が押し付けられることにより、挟持される。
【００３５】
一方、保持枠体４はバックライトシャーシ６の側壁６１の内側に固定されている。また、ベゼル２において、額縁部２１を除く側壁２２が、バックライトシャーシ６の側壁６１の外側に周設されている。すなわち、バックライトシャーシ６の側壁６１及びベゼル２の側壁２２は対向配置されており、側壁６１は側壁２２に固定されている。
【００３６】
保持枠体４と、バックライトシャーシ６の側壁６１と、ベゼル２の側壁２２とは、ネジ、リベット、ビス等の止め具Ｖを用いて、ベゼル２の側壁２２に沿った複数個所にて固定されている。
【００３７】
詳しくは、保持枠体４は、後述する固定孔４２１を有しており、バックライトシャーシ６の側壁６１には、固定孔４２１と整合する位置に、側壁６１を厚み方向に貫通する貫通孔６２が形成され、ベゼル２の側壁２２には固定孔４２１及び貫通孔６２と整合する位置に、側壁２２を厚み方向に貫通する貫通孔２３が形成されている。従って、固定孔４２１、貫通孔６２及び貫通孔２３に止め具Ｖを挿通させることにより固定され、保持枠体４の位置決め（固定）を確実に行うことが出来る。
【００３８】
光学シート３の他面側には矩形の導光板５２が配置されている。すなわち、導光板５２の前記一面は光学シート３の前記他面と対向して配置されている。導光板５２は光源５１から出射され、その一側面から入射される光を拡散させて前記一面から光学シート３に向けて出射させる。
【００３９】
導光板５２は、例えば、透明の板材（ガラス、アクリル樹脂、ポリカーボネート樹脂等）からなる。光源としてＬＥＤのような点光源を使用した場合、導光板５２は各点光源からの光を拡散させて均一に面発光として前記一面から出射させる。
【００４０】
反射シート５３は、例えば、矩形であり、その一面が導光板５２の前記他面と対向するように配置され、導光板５２の前記他面から出射される光を導光板５２に戻す。
【００４１】
また、導光板５２の前記一側面には、光源５１が設けられている。光源５１は、例えば、基板５４上に実装された複数の発光ダイオード（ＬＥＤ：Ｌｉｇｈｔ Ｅｍｉｔｔｉｎｇ Ｄｉｏｄｅ）５５を含む。
【００４２】
保持枠体４は、バックライトシャーシ６の側壁６１及びベゼル２の側壁２２との固定に用いる取付部材４２を備えており、保持枠体４は取付部材４２が取り付けられる被取付部４１を有している。取付部材４２は保持枠体４より高い強度（硬さ）を有する材料からなり、保持枠体４の複数個所に取り付けられている。保持枠体４は、例えば、金属製である。
【００４３】
図４は実施の形態１に係る液晶テレビジョン受像機１００における、保持枠体４の取付部材４２の付近を拡大した拡大斜視図であり、図５は取付部材４２を保持枠体４から取り外した場合を表す斜視図であり、図６は図４のＢ−Ｂ線による断面図である。
【００４４】
保持枠体４には、上述したように、取付部材４２が取り付けられるための被取付部４１が形成されている。被取付部４１は、保持枠体４の長手方向に沿って、所定の範囲に形成されている。被取付部４１の両端部には、取付部材４２との係合のための係合突起４１３，４１３を有している。保持枠体４において、係合突起４１３，４１３は、ベゼル２の額縁部２１と対向する一面から額縁部２１に向かって突設されている。
【００４５】
また、被取付部４１には、係合突起４１３，４１３と反対側に、挟持凹部４１２，４１２が形成されている。取付部材４２が被取付部４１に取り付けられる際、挟持凹部４１２には、後述する取付部材４２の挟持曲げ部４２２が配置される。
【００４６】
係合突起４１３，４１３及び挟持凹部４１２，４１２を用いて取付部材４２は被取付部４１に嵌着される。
【００４７】
更に、被取付部４１には、取付部材４２が被取付部４１に取り付けられる際、止め具Ｖの端部を収納する止め具収納部４１１を有する。止め具収納部４１１はバックライトシャーシ６の側壁６１及びベゼル２の側壁２２の対向方向に窪んだ凹部である。
【００４８】
一方、取付部材４２は金属板材からなり、断面視Ｌ字状をなしている。取付部材４２は保持枠体４に沿う長手方向を有する短冊状であって、バックライトシャーシ６の側壁６１と対向配置される側壁対向板４２４を有する。側壁対向板４２４の一長辺には側壁対向板４２４と直角をなすように、額縁部２１と対向する額縁対向板４２５が延設されている。すなわち、取付部材４２は、側壁対向板４２４がバックライトシャーシ６の側壁６１と対向し、額縁対向板４２５はベゼル２の額縁部２１と対向するように、被取付部４１に取り付けられる。額縁対向板４２５は、側壁対向板４２４より短手方向の寸法が小さい短冊状をなしている。
【００４９】
取付部材４２の側壁対向板４２４には止め具Ｖに対応する固定孔４２１が形成されている。固定孔４２１は取付部材４２を厚み方向に貫通する貫通孔であり、止め具Ｖに挿通され、取付部材４２（保持枠体４）をバックライトシャーシ６の側壁６１に、又は、ベゼル２の側壁２２に固定させる。
【００５０】
近年においては、表示装置の薄型化及び狭額縁化のため、保持枠体４が細くなりつつある。一方、本実施の形態１の如く止め具Ｖを基いる場合は、保持枠体４に孔あけ加工を施す必要があるが、保持枠体４はプラスチックからなる場合が多いうえに、上述したように、細くなっているので、斯かる孔あけ加工に耐え切れず亀裂、変形等が発生する問題がある。また、このような場合は、止め具Ｖによる固定の効果を期待できない。
【００５１】
しかし、本実施の形態１に係る液晶テレビジョン受像機１００においては、斯かる固定に、保持枠体４よりも強度が高い金属製の被取付部４１が用いられるので、保持枠体４を細くしても斯かる孔あけ加工に耐えることができ、亀裂、変形等が発生する問題を解決できる。従って、本実施の形態１に係る液晶テレビジョン受像機１００においては、斯かる薄型化及び狭額縁化を図りつつ、保持枠体４をバックライトシャーシ６の側壁６１に、又は、ベゼル２の側壁２２に確実に固定できる。
【００５２】
取付部材４２においては、側壁対向板４２４及び額縁対向板４２５からなるエッジ部であって、側壁対向板４２４又は額縁対向板４２５の両端部に、被取付部４１の係合突起４１３，４１３に対応する切り欠き４２３，４２３が形成されている。すなわち、取付部材４２が被取付部４１に取り付けられる際、係合突起４１３，４１３及び切り欠き４２３，４２３は係合を行う。
【００５３】
切り欠き４２３，４２３は、斯かる係合の際、側壁対向板４２４の長手方向に、換言すれば、保持枠体４の長手方向において、係合突起４１３，４１３との間に所定の間隔Ｇを有するように構成されている（図４参照）。
【００５４】
本実施の形態１に係る液晶テレビジョン受像機１００においては、このように係合突起４１３，４１３と切り欠き４２３，４２３との間に間隔Ｇが存在することにより、保持枠体４の熱膨張に対応できる。
【００５５】
保持枠体４がプラスチック製である場合、光源が発する熱により、熱膨張する。しかし、取付部材４２は、保持枠体４と異なる材質からなり、熱膨張量も異なる。すなわち、プラスチック製の保持枠体４は金属製の取付部材４２より熱膨張量が数倍大きく、保持枠体４の熱膨張の際には、係合突起４１３，４１３及び切り欠き４２３，４２３の係合が解除され、保持枠体４の収縮の際には、斯かる収縮が係合突起４１３，４１３及び切り欠き４２３，４２３の係合によって制限され、変形が発生する虞もある。
【００５６】
しかし、本実施の形態１に係る液晶テレビジョン受像機１００においては、係合突起４１３，４１３と切り欠き４２３，４２３との間に間隔Ｇが存在し、保持枠体４の熱膨張・収縮に伴う係合突起４１３，４１３の移動に対応できるので、上述したような問題を解決できる。
【００５７】
側壁対向板４２４の前記一長辺と対向する他長辺には、取付部材４２を被取付部４１に挟持させる挟持曲げ４２２，４２２が形成されている。挟持曲げ４２２は、側壁対向板４２４の前記他長辺側の縁部において、斯かる辺縁から内側へ所定の距離の位置にて、側壁対向板４２４の厚み方向に切り込みを入れて、該切り込みより縁側を被取付部４１側に曲げることにより形成される。
【００５８】
従って、挟持曲げ４２２，４２２は被取付部４１に向けて突出しており、挟持凹部４１２，４１２に収納される。この際、挟持曲げ４２２，４２２は、側壁対向板４２４の前記一長辺側の縁４２２Ａが挟持凹部４１２，４１２と当接する。
【００５９】
すなわち、挟持曲げ４２２，４２２及び額縁対向板４２５により、取付部材４２は被取付部４１を挟持する（図６参照）。
【００６０】
（実施の形態２）
以上においては、保持枠体４と、バックライトシャーシ６と、ベゼル２とが、止め具Ｖを用いて共に固定されている場合を例として説明したが、本発明はこれに限るものでない。
【００６１】
図７は実施の形態２に係る液晶テレビジョン受像機１００において、保持枠体４とバックライトシャーシ６の側壁６１との固定を説明する斜視図である。
【００６２】
実施の形態２においては、取付部材４２が保持枠体４の被取付部４１に嵌着され、側壁６１の貫通孔６２が被取付部４１の固定孔４２１と整合するよう、バックライトシャーシ６が配置され、固定孔４２１及び貫通孔６２に止め具Ｖを挿通される。次いで、止め具Ｖを覆うようにベゼル２が組み立てられる。
【００６３】
このような構成を有する実施の形態２の液晶テレビジョン受像機１００においては、保持枠体４の位置決め（固定）を確実に行うと共に、止め具Ｖが液晶テレビジョン受像機１００の外側から見えないようにすることにより、見栄えをよくすることが出来る。
【００６４】
以上の説明では、液晶テレビジョン受像機１００がいわゆるエッジ型バックライトを用いる場合を例に挙げて説明したが、本発明はこれに限るものでなく、いわゆる直下型バックライトを用いる場合でも適用可能である。
【符号の説明】
【００６５】
１  液晶表示パネル
２  ベゼル
３  光学シート
４  保持枠体
６  バックライトシャーシ
２３  貫通孔
４２  取付部材
５２  導光板
１００  液晶テレビジョン受像機
４１３  係合突起
４２１  固定孔
４２３  切り欠き
Ｇ  間隔
【図１】
2017037857.tif 000003
【図２】
2017037857.tif 000004
【図３】
2017037857.tif 000005
【図４】
2017037857.tif 000006
【図５】
2017037857.tif 000007
【図６】
2017037857.tif 000008
【図７】
2017037857.tif 000009
【国際調査報告】
2017037857.tif 000010
2017037857.tif 000011